(57)【要約】      （修正有）【課題】持ち手を買物袋内に収納し、持ち手を利用するひったくり犯罪を確実に防止できる買物袋を提供する。【解決手段】底面部、正面部２１、背面部および一対の襠部２３をそれぞれ縫製して上端を開口した直方体状の空間を有するように形成された袋本体２と、袋本体の正面部の上端部および背面部の上端部にそれぞれ縫製された一対の持ち手３とを備え、自転車の前かごに収容可能な買物袋である。この買物袋は、上端部が一対の紐４２によって開閉自在に形成された被覆部材４を備え、被覆部材の下端部の各持ち手３に対応する部分にも開閉自在の開口４ａが形成され袋本体２の上端部に縫製されている。各持ち手は正面部２１の開口および背面部の開口を通してそれぞれ袋本体の内部に収納でき、また、各持ち手を開口４ａから袋本体２の上方に引き出せば持ち運ぶことができる。【選択図】図５
0003184829.tif 000002
【実用新案登録請求の範囲】
【請求項１】
底面部、正面部、背面部および一対の襠部をそれぞれ縫製して上端を開口した直方体状の空間を有するように形成された袋本体と、袋本体の正面部の上端部および背面部の上端部にそれぞれ縫製された一対の持ち手とを備え、自転車の前かごに収容可能な買物袋において、上端部が一対の紐によって開閉自在な被覆部材の下端部が、各持ち手に対応する範囲に開口を形成するように当該範囲を除いて袋本体の上端部に縫製され、各持ち手が被覆部材と正面部および背面部との開口を通してそれぞれ袋本体の内部に収納され、また、袋本体の上方に突出されることを特徴とする買物袋。
【請求項２】
請求項１に記載の買物袋において、前記各持ち手が正面部の内面側上端部および背面部の内面側上端部にそれぞれ縫製され、また、被覆部材と正面部および背面部との開口がそれぞれスライドファスナーを介して開閉自在であることを特徴とする買物袋。
【請求項３】
請求項１または２に記載の買物袋において、前記正面部の内面側上端部および背面部の内面側上端部がスナップを介して止着可能であることを特徴とする買物袋。
【請求項４】
請求項１または２に記載の買物袋において、前記正面部の内面側上端部および背面部の内面側上端部がスライドファスナーを介して分離かつ開閉自在であることを特徴とする買物袋。
【請求項５】
請求項１または２に記載の買物袋において、前記被覆部材に各開口に臨んでフラップがそれぞれ設けられ、各フラップが開口を跨いで正面部および背面部にそれぞれ止着可能であることを特徴とする買物袋。
【請求項６】
請求項１乃至５のいずれか一つに記載の買物袋において、前記底面部、正面部、背面部および一対の襠部の各内面にそれぞれ断熱材が縫製されることを特徴とする買物袋。
【請求項７】
請求項１乃至６のいずれか一つに記載の買物袋において、前記背面部の外面に、先端部に面ファスナーを設けた一対の係止帯の基端部がそれぞれ縫製されることを特徴とする買物袋。
【請求項８】
底面部、正面部、背面部および一対の襠部をそれぞれ縫製して上端を開口した直方体状の空間を有するように形成された袋本体と、袋本体の正面部の上端部および背面部の上端部にそれぞれ縫製された一対の持ち手とを備え、自転車の前かごに収容可能な買物袋において、スライドファスナーを介して分離かつ開閉自在な被覆部材における一対の覆い材の対向する前後各端部が、各持ち手に対応する範囲に開口を形成するように当該範囲を除いて正面部の上端部および背面部の上端部にそれぞれ縫製され、各持ち手が一方の覆い材と正面部との開口および他方の覆い材と背面部との開口を通してそれぞれ袋本体の内部に収納され、また、袋本体の上方に突出されることを特徴とする買物袋。
【請求項９】
請求項８に記載の買物袋において、前記各持ち手が正面部の内面側上端部および背面部の内面側上端部にそれぞれ縫製され、また、一方の覆い材と正面部との開口および他方の覆い材と背面部との開口がそれぞれスライドファスナーを介して開閉自在であることを特徴とする買物袋。
【請求項１０】
請求項８または９に記載の買物袋において、前記正面部の内面側上端部および背面部の内面側上端部がスナップを介して止着可能であることを特徴とする買物袋。
【請求項１１】
請求項８または９に記載の買物袋において、前記被覆部材の各覆い材に開口に臨んでフラップがそれぞれ設けられ、各フラップが開口を跨いで正面部および背面部にそれぞれ止着可能であることを特徴とする買物袋。
【請求項１２】
請求項８乃至１１のいずれか一つに記載の買物袋において、前記底面部、正面部、背面部および一対の襠部の各内面にそれぞれ断熱材が縫製されることを特徴とする買物袋。
【請求項１３】
請求項８乃至１２のいずれか一つに記載の買物袋において、前記背面部の外面に、先端部に面ファスナーを設けた一対の係止帯の基端部がそれぞれ縫製されることを特徴とする買物袋。
【請求項１４】
底面部、正面部、背面部および一対の襠部をそれぞれ縫製して上端を開口した直方体状の空間を有するように形成された袋本体と、袋本体の正面部の上端部および背面部の上端部にそれぞれ縫製された一対の持ち手とを備え、自転車の前かごに収容可能な買物袋において、上端部が一対の紐によって開閉自在な被覆部材の下端部が袋本体の上端部に全周にわたって縫製され、また、スライドファスナーを介して分離かつ開閉自在な第２の被覆部材における一対の覆い材の対向する前後各端部が正面部の上端部および背面部の上端部にそれぞれ縫製され、スライドファスナーを閉じた第２の被覆部材の一対の覆い材によって被覆部材および持ち手が被覆されることを特徴とする買物袋。
【請求項１５】
請求項１４に記載の買物袋において、前記底面部、正面部、背面部および一対の襠部の各内面にそれぞれ断熱材が縫製されることを特徴とする買物袋。
【請求項１６】
請求項１４または１５に記載の買物袋において、前記背面部の外面に、先端部に面ファスナーを設けた一対の係止帯の基端部がそれぞれ縫製されることを特徴とする買物袋。
【請求項１７】
底面部、正面部、背面部および一対の襠部をそれぞれ縫製して上端を開口した直方体状の空間を有するように形成された袋本体と、袋本体の正面部の上端部および背面部の上端部にそれぞれ縫製された一対の持ち手とを備え、自転車の前かごに収容可能な買物袋において、スライドファスナーを介して分離かつ開閉自在な被覆部材における一対の覆い材の対向する前後各端部が正面部の上端部および背面部の上端部にそれぞれ縫製され、また、スライドファスナーを介して分離かつ開閉自在な第２の被覆部材における一対の覆い材の対向する前後各端部が正面部の上端部および背面部の上端部にそれぞれ縫製され、スライドファスナーを閉じた第２の被覆部材の一対の覆い材によって被覆部材および持ち手が被覆されることを特徴とする買物袋。
【請求項１８】
請求項１７に記載の買物袋において、前記底面部、正面部、背面部および一対の襠部の各内面にそれぞれ断熱材が縫製されることを特徴とする買物袋。
【請求項１９】
請求項１７または１８に記載の買物袋において、前記背面部の外面に、先端部に面ファスナーを設けた一対の係止帯の基端部がそれぞれ縫製されることを特徴とする買物袋。
【考案の詳細な説明】
【技術分野】
【０００１】
この考案は、買物袋、特に、自転車の前かごに収容した際にひったくりを防止する買物袋に関するものである。
【背景技術】
【０００２】
一般に、消費者がスーパーなどにて食料品などの商品を購入するとき、持参した買物袋に購入した商品を収納した後、持ち手を利用して手に提げて、あるいは、自転車の前かごに収容して帰路につくことになる。ここで、自転車にて帰路につく場合、買物袋に購入した商品とともに財布が収納されていることを狙ってひったくりが多発している。
【０００３】
このようなひったくりに遭遇することを回避するため、特許文献１，２に示すように、自転車の前かごにネットなどの覆いを設け、前かごに収容した買物袋にネットなどの覆いを被せて覆ったり、また、特許文献３，４に示すように、自転車に買物袋の持ち手を係止する係止具を設け、前かごに収容した買物袋の持ち手を係止具に係止し、前かごから買物袋が意図することなく離脱するのを防止することが提案されている。
【先行技術文献】
【特許文献】
【０００４】
【特許文献１】実用新案登録第３０７１５０１号公報
【特許文献２】特開２００４−２７６８９３号公報
【特許文献３】実開平７−１５４９０号公報
【特許文献４】実用新案登録第３０２６２３７号公報
【考案の概要】
【考案が解決しようとする課題】
【０００５】
しかしながら、自転車などにネットなどの覆いを設けるものでは、自転車毎に覆いを設ける必要があり、コストがかさむとともに、前かごに簡単に取り付けることができず、手間がかかる他、前かごの大きさや形状などによっては、取り付けることができない場合もある。また、常時前かごに取り付けていることから、経年によって強度が低下し、ひったくりに対応することができないおそれもある。
【０００６】
一方、自転車に設けた係止具を利用して持ち手を係止するものでは、持ち手が上方に向けて支持された形になっており、原動機付き自転車などを利用して後方から接近したひったくり犯にとっては、ひったくりの目印になるとともに、持ち手を介してひったくった場合、係止具から持ち手が離脱し、簡単にひったくられる可能性が大きい。この場合、係止具から持ち手が離脱しない場合には、ひったくられた買物袋を介して自転車が引きずられて転倒する危険性がある。
【０００７】
本考案は、このような問題点に鑑みてなされたもので、持ち手を外部に露出させることなく買物袋に収納し、持ち手を利用するひったくりを確実に防止することのできる買物袋を提供するものである。
【課題を解決するための手段】
【０００８】
本考案は、底面部、正面部、背面部および一対の襠部をそれぞれ縫製して上端を開口した直方体状の空間を有するように形成された袋本体と、袋本体の正面部の上端部および背面部の上端部にそれぞれ縫製された一対の持ち手とを備え、自転車の前かごに収容可能な買物袋において、上端部が一対の紐によって開閉自在な被覆部材の下端部が、各持ち手に対応する範囲に開口を形成するように当該範囲を除いて袋本体の上端部に縫製され、各持ち手が被覆部材と正面部および背面部との開口を通してそれぞれ袋本体の内部に収納され、また、袋本体の上方に突出されることを特徴とするものである。
【０００９】
本考案によれば、被覆部材の一対の紐によって閉鎖された上端開口部を押し開き、開放した上端開口部を通して袋本体の内部に購入した商品を収納する。そして、買物袋に商品を収納したならば、一対の紐を牽引し、被覆部材の上端開口部を絞って閉鎖する一方、被覆部材と正面部および背面部との開口を通して各持ち手をそれぞれ引き出して把握することにより、買物袋を持ち運ぶことができる。一方、買物袋を自転車の前かごに収容する際には、被覆部材と正面部および背面部との開口を通して各持ち手を袋本体の内部に押込んで収納することができる。
【００１０】
この結果、持ち手が買物袋の上方に露出した状態で配置されることがないことから、仮にひったくり犯が買物袋をひったくろうとしても、ひったくる際に把握する持ち手が存在せず、ひったくることができないものとなる。また、被覆部材を付加すればよいことから、買物袋のコストを各別に上昇させることもない他、自転車の前かごに新たなネットなどの覆いを設ける場合に比較して安価にひったくりを防止することができる。
【００１１】
本考案において、前記各持ち手が正面部の内面側上端部および背面部の内面側上端部にそれぞれ縫製され、また、被覆部材と正面部および背面部との開口がそれぞれスライドファスナーを介して開閉自在であることが好ましい。これにより、被覆部材と正面部および背面部との開口をそれぞれスライドファスナーを介して閉鎖することができ、開口を通して袋本体の内部に収納した持ち手が意図することなく袋本体の上方に突出することを確実に防止でき、さらに安全となる。
【００１２】
本考案において、前記正面部の内面側上端部および背面部の内面側上端部がスナップを介して止着可能であることが好ましい。これにより、被覆部材を袋本体の外面に沿って垂れ下げた状態で、正面部と背面部を突き合わせることで、対向するスタッドとソケットを止着して袋本体の上端開口部を簡略的に閉鎖することができ、少量の商品を収納する場合において、覗き見を防止しつつ買物袋の容積を削減した状態で持ち運びできる。
【００１３】
本考案において、前記正面部の内面側上端部および背面部の内面側上端部がスライドファスナーを介して分離かつ開閉自在であることが好ましい。これにより、被覆部材を袋本体の外面に沿って垂れ下げた状態で、正面部と背面部を突き合わせ、スライドファスナーを閉じることで、袋本体の対向する正面部の上端部と背面部の上端部を閉鎖することができ、少量の商品を収納する場合において、覗き見を防止しつつ買物袋の容積を削減した状態で持ち運びできる。
【００１４】
本考案において、前記被覆部材に各開口に臨んでフラップがそれぞれ設けられ、各フラップが開口を跨いで正面部および背面部にそれぞれ止着可能であることが好ましい。これにより、各フラップを開口を覆ってスナップや面ファスナーなどを利用して正面部および背面部にそれぞれ止着することにより、袋本体内に収納した商品が衝撃などによって開口を通して飛び出すことを確実に防止できる。
【００１５】
本考案において、前記底面部、正面部、背面部および一対の襠部の各内面にそれぞれ断熱材が縫製されることが好ましい。これにより、買物袋に保冷機能を付与することができ、冷蔵品の温度上昇や冷凍食品の解凍を抑制できる。
【００１６】
本考案において、前記背面部の外面に、先端部に面ファスナーを設けた一対の係止帯の基端部がそれぞれ縫製されることが好ましい。これにより、自転車の前かごに買物袋を収容した際に、自転車のハンドルポストに係止帯を巻き回して面ファスナー同士を止着することにより、自転車に対して買物袋を離脱しないように固定できる。
【００１７】
本考案は、底面部、正面部、背面部および一対の襠部をそれぞれ縫製して上端を開口した直方体状の空間を有するように形成された袋本体と、袋本体の正面部の上端部および背面部の上端部にそれぞれ縫製された一対の持ち手とを備え、自転車の前かごに収容可能な買物袋において、スライドファスナーを介して分離かつ開閉自在な被覆部材における一対の覆い材の対向する前後各端部が、各持ち手に対応する範囲に開口を形成するように当該範囲を除いて正面部の上端部および背面部の上端部にそれぞれ縫製され、各持ち手が一方の覆い材と正面部との開口および他方の覆い材と背面部との開口を通してそれぞれ袋本体の内部に収納され、また、袋本体の上方に突出されることを特徴とするものである。
【００１８】
本考案によれば、被覆部材のスライドファスナーを分離し、各覆い材をそれぞれ折り返し、正面部の外面および背面部の外面に沿うように垂れ下げることにより、袋本体の上端開口部を開放し、開放した上端開口部を通して袋本体の内部に購入した商品を収納する。そして、買物袋に商品を収納したならば、覆い材を折り返し、スライドファスナーを閉じることにより、袋本体の上端開口部を閉鎖する。また、被覆部材の一方の覆い材と正面部との開口および他方の覆い材と背面部との開口を通して各持ち手をそれぞれ引き出して把握することにより、買物袋を持ち運ぶことができる。一方、買物袋を自転車の前かごに収容する際には、被覆部材の一方の覆い材と正面部との開口および他方の覆い材と背面部との開口を通して各持ち手を袋本体の内部に押込んで収納することができる。
【００１９】
この結果、持ち手が買物袋の上方に露出した状態で配置されることがないことから、仮にひったくり犯が買物袋をひったくろうとしても、ひったくる際に把握する持ち手が存在せず、ひったくることができないものとなる。しかも、買物袋の上面に突出する部分がなく、より確実にひったくりを防止できる。また、被覆部材を付加すればよいことから、買物袋のコストを各別に上昇させることもない他、自転車の前かごに新たなネットなどの覆いを設ける場合に比較して安価にひったくりを防止することができる。
【００２０】
本考案において、前記各持ち手が正面部の内面側上端部および背面部の内面側上端部にそれぞれ縫製され、また、一方の覆い材と正面部との開口および他方の覆い材と背面部との開口がそれぞれスライドファスナーを介して開閉自在であることが好ましい。これにより、一方の覆い材と正面部との開口および他方の覆い材と背面部との開口をそれぞれスライドファスナーを介して閉鎖することができ、開口を通して袋本体の内部に収納した持ち手が意図することなく袋本体の上方に突出することを確実に防止でき、さらに安全となる。
【００２１】
本考案において、前記正面部の内面側上端部および背面部の内面側上端部がスナップを介して止着可能であることが好ましい。これにより、被覆部材の各覆い材を正面部の外面および背面部の外面に沿ってそれぞれ垂れ下げた状態で、正面部と背面部を突き合わせることで、対向するスタッドとソケットを止着して袋本体の上端開口部を簡略的に閉鎖することができ、少量の商品を収納する場合において、覗き見を防止しつつ買物袋の容積を削減した状態で持ち運びできる。
【００２２】
本考案において、前記被覆部材の各覆い材に開口に臨んでフラップがそれぞれ設けられ、各フラップが開口を跨いで正面部および背面部にそれぞれ止着可能であることが好ましい。これにより、各フラップを開口を覆ってスナップや面ファスナーなどを利用して正面部および背面部にそれぞれ止着することにより、袋本体内に収納した商品が衝撃などによって開口を通して飛び出すことを確実に防止できる。
【００２３】
本考案において、前記底面部、正面部、背面部および一対の襠部の各内面にそれぞれ断熱材が縫製されることが好ましい。これにより、買物袋に保冷機能を付与することができ、冷蔵品の温度上昇や冷凍食品の解凍を抑制できる。
【００２４】
本考案において、前記背面部の外面に、先端部に面ファスナーを設けた一対の係止帯の基端部がそれぞれ縫製されることが好ましい。これにより、自転車の前かごに買物袋を収容した際に、自転車のハンドルポストに係止帯を巻き回して面ファスナー同士を止着することにより、自転車に対して買物袋を離脱しないように固定できる。
【００２５】
本考案は、底面部、正面部、背面部および一対の襠部をそれぞれ縫製して上端を開口した直方体状の空間を有するように形成された袋本体と、袋本体の正面部の上端部および背面部の上端部にそれぞれ縫製された一対の持ち手とを備え、自転車の前かごに収容可能な買物袋において、上端部が一対の紐によって開閉自在な被覆部材の下端部が袋本体の上端部に全周にわたって縫製され、また、スライドファスナーを介して分離かつ開閉自在な第２の被覆部材における一対の覆い材の対向する前後各端部が正面部の上端部および背面部の上端部にそれぞれ縫製され、スライドファスナーを閉じた第２の被覆部材の一対の覆い材によって被覆部材および持ち手が被覆されることを特徴とするものである。
【００２６】
本考案によれば、第２の被覆部材のスライドファスナーを分離し、各覆い材をそれぞれ折り返し、正面部の外面および背面部の外面に沿って垂れ下げた後、被覆部材の一対の紐によって閉鎖された上端開口部を押し開き、開放した被覆部材の上端開口部を通して袋本体の内部に購入した商品を収納する。そして、買物袋に商品を収納したならば、一対の紐を牽引し、被覆部材の上端開口部を絞って閉鎖する。次いで、第２の被覆部材の各覆い材に沿って垂れ下がっている各持ち手をそれぞれ引き上げて把握すれば、買物袋を持ち運ぶことができる。一方、買物袋を自転車の前かごに収容する際には、各持ち手を被覆部材の上面に配置した後、第２の被覆部材の各覆い材を折り返して被覆部材の上方に被せ、スライドファスナーを閉じることにより、被覆部材の上方を覆うとともに、被覆部材上に配置された持ち手を覆うことができる。
【００２７】
この結果、持ち手が買物袋の上方に露出した状態で配置されることがないことから、仮にひったくり犯が買物袋をひったくろうとしても、ひったくる際に把握する持ち手が存在せず、ひったくることができないものとなる。しかも、買物袋の上面に突出する部分がなく、より確実にひったくりを防止できる。また、被覆部材および第２の被覆部材を付加すればよいことから、買物袋のコストを各別に上昇させることもない他、自転車の前かごに新たなネットなどの覆いを設ける場合に比較して安価にひったくりを防止することができる。
【００２８】
本考案において、前記底面部、正面部、背面部および一対の襠部の各内面にそれぞれ断熱材が縫製されることが好ましい。これにより、買物袋に保冷機能を付与することができ、冷蔵品の温度上昇や冷凍食品の解凍を抑制できる。
【００２９】
本考案において、前記背面部の外面に、先端部に面ファスナーを設けた一対の係止帯の基端部がそれぞれ縫製されることが好ましい。これにより、自転車の前かごに買物袋を収容した際に、自転車のハンドルポストに係止帯を巻き回して面ファスナー同士を止着することにより、自転車に対して買物袋を離脱しないように固定できる。
【００３０】
本考案は、底面部、正面部、背面部および一対の襠部をそれぞれ縫製して上端を開口した直方体状の空間を有するように形成された袋本体と、袋本体の正面部の上端部および背面部の上端部にそれぞれ縫製された一対の持ち手とを備え、自転車の前かごに収容可能な買物袋において、スライドファスナーを介して分離かつ開閉自在な被覆部材における一対の覆い材の対向する前後各端部が正面部の上端部および背面部の上端部にそれぞれ縫製され、また、スライドファスナーを介して分離かつ開閉自在な第２の被覆部材における一対の覆い材の対向する前後各端部が正面部の上端部および背面部の上端部にそれぞれ縫製され、スライドファスナーを閉じた第２の被覆部材の一対の覆い材によって被覆部材および持ち手が被覆されることを特徴とするものである。
【００３１】
本考案によれば、第２の被覆部材のスライドファスナーを分離し、各覆い材をそれぞれ折り返し、正面部の外面および背面部の外面に沿って垂れ下げた後、被覆部材のスライドファスナーを分離し、各覆い材をそれぞれ折り返して、先に折り返した第２の被覆部材の各覆い材に沿って各持ち手とともに垂れ下げ、開放した袋本体の上端開口部を通して内部に購入した商品を収納する。そして、買物袋に商品を収納したならば、袋本体の上端開口部を覆うように、被覆部材の各覆い材を折り返し、スライドファスナーを閉じることで袋本体の上端開口部を閉鎖する。次いで、第２の被覆部材の各覆い材に沿って垂れ下がっている各持ち手をそれぞれ引き上げて把握すれば、買物袋を持ち運ぶことができる。一方、買物袋を自転車の前かごに収容する際には、各持ち手を被覆部材の上面に配置した後、第２の被覆部材の各覆い材を折り返して被覆部材の上方に被せ、スライドファスナーを閉じることにより、被覆部材の上方を覆うとともに、被覆部材上に配置された持ち手を覆うことができる。
【００３２】
この結果、持ち手が買物袋の上方に露出した状態で配置されることがないことから、仮にひったくり犯が買物袋をひったくろうとしても、ひったくる際に把握する持ち手が存在せず、ひったくることができないものとなる。しかも、買物袋の上面に突出する部分がなく、より確実にひったくりを防止できる。また、被覆部材および第２の被覆部材を付加すればよいことから、買物袋のコストを各別に上昇させることもない他、自転車の前かごに新たなネットなどの覆いを設ける場合に比較して安価にひったくりを防止することができる。
【００３３】
本考案において、前記底面部、正面部、背面部および一対の襠部の各内面にそれぞれ断熱材が縫製されることが好ましい。これにより、買物袋に保冷機能を付与することができ、冷蔵品の温度上昇や冷凍食品の解凍を抑制できる。
【００３４】
本考案において、前記背面部の外面に、先端部に面ファスナーを設けた一対の係止帯の基端部がそれぞれ縫製されることが好ましい。これにより、自転車の前かごに買物袋を収容した際に、自転車のハンドルポストに係止帯を巻き回して面ファスナー同士を止着することにより、自転車に対して買物袋を離脱しないように固定できる。
【考案の効果】
【００３５】
本考案によれば、持ち手を外部に露出させることなく買物袋に収納し、持ち手を利用するひったくりを確実に防止することができる。
【図面の簡単な説明】
【００３６】
【図１】本考案の買物袋の一実施形態を示す正面側斜視図である。
【図２】図１の買物袋の背面側斜視図である。
【図３】図１の買物袋の持ち手を収納した状態を示す斜視図である。
【図４】図３の買物袋を自転車の前かごに収容した状態を示す斜視図である。
【図５】図１の買物袋の第１変形例を示す斜視図である。
【図６】図１の買物袋の第２変形例を示す斜視図である。
【図７】図１の買物袋の第３変形例を示す斜視図である。
【図８】図１の買物袋の第４変形例を示す斜視図である。
【図９】本考案の買物袋の他の実施形態を示す正面側斜視図である。
【図１０】図９の買物袋の持ち手を収納した状態を示す斜視図である。
【図１１】図１０の買物袋を自転車の前かごに収容した状態を示す斜視図である。
【図１２】図９の買物袋の変形例を示す斜視図である。
【図１３】図９の買物袋の他の変形例を示す斜視図である。
【図１４】図９の買物袋のもう一つの変形例を示す斜視図である。
【図１５】本考案の買物袋のもう一つの実施形態を示す斜視図である。
【図１６】図１５の買物袋の持ち手の収納要領を説明する斜視図である。
【図１７】本考案の買物袋のもう一つの他の実施形態を示す斜視図である。
【図１８】図１７の買物袋の持ち手の収納要領を説明する斜視図である。
【考案を実施するための形態】
【００３７】
以下、本考案の実施の形態を図面に基づいて説明する。
【００３８】
図１乃至図３には、本考案の買物袋１の一実施形態が示されている。
【００３９】
この買物袋１は、袋本体２と、袋本体２に縫製された一対の持ち手３と、袋本体２の上端部に縫製されて袋本体２の上端開口部を開閉自在な被覆部材４とから構成され、柔軟な生地、例えば、ナイロン生地や布生地などより形成されている。
【００４０】
袋本体２は、方形状の底面部（図示せず）と、底面部の対向する前後各端縁部にそれぞれ下端縁部が縫製された正面部２１および背面部２２と、底面部の対向する他の左右各端縁部にそれぞれ下端縁部が縫製されるとともに、正面部２１の左右各端縁部および背面部２２の左右各端縁部にそれぞれ前後各端縁部が縫製された一対の襠部２３，２３とによって上端を開口した直方体状の空間を有するように形成され、この上端開口部を通して袋本体２の内部に商品を収納し、あるいは、袋本体２の内部から収納された商品を取り出すことができる。
【００４１】
一対の持ち手３は、各帯状材の両端部を袋本体２における正面部２１の内面側上端縁部および背面部２２の内面側上端縁部にそれぞれ設定間隔をおいて縫製して形成されている。
【００４２】
被覆部材４は、詳細には図示しないが、巾着として知られているように、袋本体２の上端開口部の周長の半分の長さを若干越える幅と設定高さを有するとともに、上端部に紐通し４１１（図６参照）が形成された２枚の生地を重ね、上端部を残して左右各端縁部を縫製して形成された覆い材４１であって、覆い材４１の左右各縫製端縁部がそれぞれ各襠部２３の奥行き方向の略中間に位置するように、その下端部が袋本体２における正面部２１、背面部２２および一対の襠部２３の各上端部に持ち手３に対応する範囲を除いて全周にわたって縫製されている。そして、前後の紐通し４１１には、それらの両端の通し口および返し口を経て一対の紐４２が両端部をそれぞれ左右に位置するように挿通されている。このため、一対の紐４２を各端部を互いに離隔する方向に牽引することにより、被覆部材４の上端開口部を絞って閉鎖することができ、また、絞った上端開口部を押し広げることにより、袋本体２の上端開口部に連通するように開放することができる。また、被覆部材４の上端開口部を開放した状態において、覆い材４１を袋本体２の正面部２１、背面部２２および一対の襠部２３の各外面に沿って折り返して垂れ下げたり、袋本体２の内部に押し込んで各内面に沿って垂れ下げることができる。
【００４３】
ここで、被覆部材４における覆い部材４１の下端部を、袋本体２における正面部２１の内面側上端部および背面部２２の内面側上端部に縫製するに際して、各持ち手３の両端縫製部に相当する範囲については縫製されていない。このため、被覆部材４と正面部２１および背面部２２との間に縫製されないことによる開口４ａが形成されている。これにより、覆い材４１と正面部２１との開口４ａ、覆い材４１と背面部２２との開口４ａを通して対応する持ち手３をそれぞれ袋本体２の上方に突出させ、あるいは、袋本体２の内部に収納することができる（図３参照）。
【００４４】
なお、袋本体２における背面部２２の外面側上端縁部の略中間部には、先端部に面ファスナーを設けた一対の係止帯５，５の基端部がそれぞれ設定間隔をおいて縫製されている。これにより、買物袋１を自転車の前かごＢ（図４参照）に収容した際、一対の係止帯５を自転車のハンドルポストに巻き回して面ファスナー同士を付着することで、前かごＢに収容された買物袋１を自転車から離脱しないように固定することができる。
【００４５】
また、袋本体２の背面部２２にはポケット６が設けられており、ファスナー６１を介して開閉自在な出入口を通して小物などを出し入れすることができる。
【００４６】
このように構成された買物袋１は、スーパーなどにおいて商品を購入すれば、被覆部材４の一対の紐４２によって閉鎖された上端開口部を押し開き、開放した上端開口部を通して商品を袋本体２の内部に収納する。袋本体２の内部に商品を収納したならば、一対の紐４２を互いに離隔する方向に牽引して被覆部材４の上端開口部を絞ることにより、袋本体２の上端開口部を覆い材４１が覆って閉鎖し、袋本体２の内部に収納した商品を第三者が覗き見できないように遮蔽する。次いで、被覆部材４の覆い材４１と正面部２１および背面部２２との開口４ａを通して一対の持ち手３をそれぞれ上方に引き出して把握すれば、一対の持ち手３を介して商品を収納した買物袋１を吊り下げて持ち運びすることができる。
【００４７】
ここで、買物袋１を自転車の前かごＢに入れて運搬するときには、前かごＢに買物袋１を収容した後、持ち手３をそれぞれ被覆部材４の覆い材４１と正面部２１および背面部２２との開口４ａを通して袋本体２の内部に押し込む。さらに、袋本体２の背面部２２に設けた一対の係止帯５を自転車のハンドルポストに巻き回して面ファスナー同士を付着し、買物袋１を自転車から離脱しないように固定する（図４参照）。
【００４８】
この結果、袋本体２の内部に各持ち手３をそれぞれ収納することにより、買物袋１の上方、具体的には、被覆部材４の上方に持ち手３が露出した状態で配置されることはない。このため、仮にひったくり犯が後方から接近して買物袋１をひったくろうとしても、ひったくるための持ち手３がないため、買物袋１をひったくることができないものとなる。また、被覆部材４を付加すればよく、買物袋１のコストを各別に上昇させることもない他、見栄えを低下させることもない。さらに、自転車毎に新たなネットなどの覆いを設ける場合に比較して取付作業が不要であることと相俟って安価にひったくりを防止することができる。
【００４９】
なお、この実施形態においては、各持ち手３を袋本体２における正面部２１の内面側および背面部２２の内面側にそれぞれ縫製した場合を例示したが、それらの外面側にそれぞれ縫製しても構わない。
【００５０】
図５には、前述した実施形態の買物袋１の第１変形例が示されている。
【００５１】
この変形例の買物袋１も、袋本体２、一対の持ち手３および被覆部材４から構成される点では同一であるが、被覆部材４の覆い材４１と正面部２１および背面部２２との開口４ａがスライドファスナー４３によって開閉自在に形成されている。したがって、開口４ａを通して持ち手３を袋本体２の内部に収納した際、スライドファスナー４３を閉じることにより、開口４ａを閉鎖することができる。これにより、各開口４ａは閉鎖状態に維持されることから、持ち手３は確実に袋本体２の内部に収納され、意図することなく開口４ａを通して上方に突出することを防止でき、安全となる。
【００５２】
この場合、スライドファスナー４３を介して開口４ａを閉鎖した際、持ち手３を袋本体２の内部に完全に収納するには、持ち手３を袋本体２における正面部２１の内面側および背面部２２の内面側に縫製すればよい。
【００５３】
図６には、前述した実施形態の買物袋１の第２変形例が示されている。
【００５４】
この変形例の買物袋１は、袋本体２における正面部２１の内面側上端部の中間部および背面部２２の内面側上端部の中間部にスナップ７を構成するスタッドおよびソケットをそれぞれ設けたものである。
【００５５】
これにより、図６に示すように、被覆部材４の上端開口部を開放するとともに、正面部２１、背面部２２および一対の襠部２３の各外面に沿うように覆い材４１を折り返して垂れ下げた場合に、対向する正面部２１および背面部２２の上端部同士を突き合わせてスナップ７を介して止着することで、正面部２１の上端部および背面部２２の上端部が中間部において密着し、袋本体２の上端開口部を閉鎖することができる。
【００５６】
この場合、図７に示すように、スナップ７に代えてスライドファスナー８を正面部２１の上端部および背面部２２の上端部に設け、スライドファスナー８によって袋本体２の上端開口部を閉鎖するようにしてもよい。
【００５７】
図８には、前述した実施形態の買物袋１の第４変形例が示されている。
【００５８】
この変形例の買物袋１は、被覆部材４に各開口４ａに臨んでそれぞれフラップ１０の端縁が縫製されたものである。そして、各フラップ１０の内面には、スナップ７を構成するスタッドまたはソケットが設けられ、一方、袋本体２の正面部２１および背面部２２に各フラップ１０に設けられたスタッドまたはソケットに対応してソケットまたはスタッドが設けられている。
【００５９】
これにより、各フラップ１０を開口４ａを跨ぐとともに、持ち手３を通して正面部２１および背面部２２に沿って垂下させ、スタッドおよびソケットを嵌め込むことにより、正面部２１および背面部２２に対して各フラップ１０を止着することができる。したがって、自転車の前かごＢに買物袋１を収容して走行する際、段差などによる衝撃を受けて跳ね上げられ、袋本体２内に収納された一部の商品が開口４ａを通して飛び出そうとしても、フラップ１０が開口４ａを覆って止着されていることにより、商品の飛び出しを確実に防止できるものとなる。
【００６０】
この場合、スナップ７以外に面ファスナーやボタン、さらには、フックなど、任意の止着手段を利用しても構わない。また、開口４ａをスライドファスナー４３を介して開閉自在に構成した変形例（図５参照）においても、フラップ１０を設けることを妨げるものではない。
【００６１】
さらに、詳細には図示しないが、前述した実施形態の買物袋１において、袋本体２の底面部、正面部２１、背面部２２および一対の襠部２３の各内面に、アルミ蒸着フィルムを積層して形成された断熱材をそれぞれ一体に縫製してもよい。これにより、保冷機能を有する買物袋１を得ることができ、冷蔵品の温度上昇や冷凍食品の解凍を抑制することができる。
【００６２】
ところで、図９乃至図１１には、本考案の買物袋１の他の実施形態が示されている。
【００６３】
この買物袋１も、袋本体２と、袋本体２に縫製された一対の持ち手３と、袋本体２の上端部に縫製されて袋本体２の開口部を開閉自在な被覆部材４とから構成されている。
【００６４】
ここで、袋本体２および持ち手３などは、前述した実施形態と同一であり、同一の部材に同一の符号を付して説明を省略する。
【００６５】
被覆部材４は、袋本体２の上端開口部を覆う面積を有するように、２枚の覆い材４４，４４の突き合わせ端縁部にそれぞれスライドファスナー４５のジッパーテープを縫製し、奥行き方向中間部がスライドファスナー４５を介して分離可能に形成したものであり、その対向する前後各端部がそれぞれ対向する袋本体２における正面部２１の上端部および背面部２２の上端部にそれぞれ持ち手３に対応する範囲を除いて縫製されている。すなわち、被覆部材４の各覆い材４４の端部を、袋本体２における正面部２１の内面側上端部および背面部２２の内面側上端部に縫製するに際して、各持ち手３の両端縫製部に相当する範囲については縫製されていない。このため、各覆い部材４４と正面部２１および背面部２２との間に縫製されないことによる開口４ａが形成されている。これにより、一方の覆い材４４と正面部２１との開口４ａ、他方の覆い材４４と背面部２２との開口４ａを通して対応する持ち手３をそれぞれ袋本体２の上方に突出させ、あるいは、袋本体２の内部に収納することができる。
【００６６】
このように構成された買物袋１は、スーパーなどにおいて商品を購入すれば、被覆部材４のスライドファスナー４５を分離した後、各覆い材４４を折り返して正面部２１の外面および背面部２２の外面に沿ってそれぞれ垂れ下げる。これにより、被覆部材４によって閉鎖された袋本体２の上端開口部を開放することができ、開放した上端開口部を通して袋本体２の内部に商品を収納することができる。
【００６７】
袋本体２の内部に商品を収納したならば、それぞれ垂れ下がった各覆い材４４を折り返すとともに、対向するスライドファスナー４５を閉じることにより、袋本体２の上端開口部を閉鎖し、袋本体２の内部に収納した商品を第三者が覗き見できないように遮蔽する。次いで、一対の持ち手３をそれぞれ開口４ａを通して引き出して把握すれば、一対の持ち手３を介して商品を収納した買物袋１を吊り下げて持ち運びすることができる。
【００６８】
そして、買物袋１を自転車の前かごＢに入れて運搬するときには、前かごＢに買物袋１を収容した後、持ち手３をそれぞれ被覆部材４の一方の覆い材４４と正面部２１との開口４ａおよび他方の覆い材４４と背面部２２との開口４ａを通して袋本体２の内部に押し込む。さらに、袋本体２の背面部２２に設けた一対の係止帯５を自転車のハンドルポストに巻き回して面ファスナー同士を付着し、買物袋１を自転車から離脱しないように固定する。
【００６９】
この結果、袋本体２の内部に各持ち手３をそれぞれ収納することにより、買物袋１の上方、具体的には、被覆部材４の上方に持ち手３が露出した状態で配置されることはない。このため、仮にひったくり犯が後方から接近して買物袋１をひったくろうとしても、ひったくるための持ち手３がないため、買物袋１をひったくることができないものとなる。しかも、図１０に示したように、買物袋１の上面に突出する部分がなく、より確実にひったくりを防止できるものとなる。また、被覆部材４を付加すればよく、買物袋１のコストを各別に上昇させることもない他、見栄えを低下させることもない。さらに、自転車毎に新たなネットなどの覆いを設ける場合に比較して取付作業が不要であることと相俟って安価にひったくりを防止することができる。
【００７０】
なお、この実施形態においては、各持ち手３を袋本体２における正面部２１の内面側および背面部２２の内面側にそれぞれ縫製した場合を例示したが、それらの外面側にそれぞれ縫製しても構わない。
【００７１】
この実施形態においても、被覆部材４に一方の覆い材４４と袋本体２の正面部２１との開口４ａおよび他方の覆い材４４と背面部２２との開口４ａをスライドファスナー４３によってそれぞれ開閉自在に形成してもよく（図１２参照）、また、袋本体２における正面部２１の内面側上端部および背面部２２の内面側上端部にスナップ７のスタッドおよびソケットをそれぞれ設け、正面部２１の上端部と背面部２２の上端部を突き合わせて止着し、袋本体２の上端開口部を閉鎖するようにしてもよい（図１３参照）。
【００７２】
さらに、被覆部材４の各覆い材４４にフラップ１０を設け、各開口４ａをフラップ１０によってそれぞれ覆うようにしてもよい。具体的には、図１４に示すように、被覆部材４の各覆い材４４に開口４ａに臨んでフラップ１０の端縁をそれぞれ縫製する一方、各フラップ１０の内面にスナップ７を構成するスタッドまたはソケットを設け、また、袋本体２の正面部２１および背面部２２に各フラップ１０に設けたスタッドまたはソケットに対応してソケットまたはスタッドを設ける。
【００７３】
これにより、各フラップ１０を開口４ａを跨ぐとともに、持ち手３を通して正面部２１および背面部２２に沿って垂下させ、スタッドおよびソケットを嵌め込むことにより、正面部２１および背面部２２に対して各フラップ１０を止着することができる。したがって、自転車の前かごＢに買物袋１を収容して走行する際、段差などによる衝撃を受けて跳ね上げられ、袋本体２内に収納された一部の商品が開口４ａを通して飛び出そうとしても、フラップ１０が開口４ａを覆って止着されていることにより、商品の飛び出しを確実に防止できるものとなる。
【００７４】
この場合、スナップ７以外に面ファスナーやボタン、さらには、フックなど、任意の止着手段を利用しても構わない。また、開口４ａをスライドファスナー４３を介して開閉自在に構成した変形例（図１２参照）においても、フラップ１０を設けることを妨げるものではない。
【００７５】
さらにまた、詳細には図示しないが、袋本体２の底面部、正面部２１、背面部２２および一対の襠部２３の各内面にそれぞれ断熱材を一体に縫製し、買物袋１に保冷機能を付加することもできる。
【００７６】
また、図１５には、本考案の買物袋１のもう一つの実施形態が示されている。
【００７７】
この買物袋１は、袋本体２と、袋本体２に縫製された一対の持ち手３と、袋本体２の上端部に縫製されて袋本体２の開口部を開閉自在な被覆部材４と、袋本体２の上端部に縫製されて被覆部材４を被覆可能な第２の被覆部材９とから構成され、柔軟な生地、例えば、ナイロン生地や布生地などより形成されている。
【００７８】
ここで、袋本体２、持ち手３および被覆部材４などは、図１に示した実施形態と基本的に同一であり、同一の部材に同一の符号を付して説明を省略する。
【００７９】
ただし、被覆部材４（覆い材４１）の下端部は、袋本体２における正面部２１、背面部２２および一対の襠部２３の各上端部の全周にわたって縫製されている。すなわち、持ち手３は、袋本体２における正面部２１の内面側上端部または外面側上端部、背面部２２の内面側上端部または外面側上端部にそれぞれ縫製され、一対の紐４２を介して被覆部材４の上端開口部を閉鎖するときには、覆い部材４１の上面に露出した状態で配置される。
【００８０】
第２の被覆部材９は、袋本体２の上端開口部を覆う面積を有するように、２枚の覆い材９１，９１の突き合わせ端縁部にそれぞれスライドファスナー９２のジッパーテープを縫製し、奥行き方向中間部がスライドファスナー９２を介して分離可能に形成したものであり、その対向する前後各端部がそれぞれ対向する袋本体２における正面部２１の上端部および背面部２２の上端部にそれぞれ縫製されている。具体的には、第２の被覆部材９の前後各端部は、袋本体２における正面部２１の上端部および背面部２２の上端部にそれぞれ縫製された持ち手３の外方側に位置して、袋本体２における正面部２１の上端部および背面部２２の上端部にそれぞれ縫製されている。
【００８１】
このように構成された買物袋１においては、第２の被覆部材９のスライドファスナー９２を分離し、各覆い材９２をそれぞれ折り返して正面部２１の外面および背面部２２の外面に沿って垂れ下げる。次いで、被覆部材４の上端開口部を押し開いて開放すれば、開放した被覆部材４の上端開口部を通して袋本体２の内部に購入した商品を収納することができる。
【００８２】
袋本体２の内部に商品を収納したならば、一対の紐４２を牽引して被覆部材４の上端開口部を絞って閉鎖し、袋本体２の上端開口部を覆って遮蔽した後、持ち手３を把握して買物袋１を持ち運ぶことができる。そして、買物袋１を自転車の前かごＢに収容すれば、各持ち手３を上端開口部を閉鎖した被覆部材４の覆い材４１上に配置した後、第２の被覆部材９の各覆い材９１をそれぞれ持ち上げて折り返し、被覆部材４上に重ねる（図１６参照）。この際、各覆い材９１は、持ち手３の外方側に位置して縫製されていることにより、各覆い材９１を折り返した場合、持ち手３の上方に位置することになる。次いで、覆い材９１のスライドファスナー９２を閉じれば、被覆部材４の上方を覆って、かつ、被覆部材４上に配置された持ち手３を覆って遮蔽することができる。この後、袋本体２の背面部２２に設けた一対の係止帯５を自転車のハンドルポストに巻き回して面ファスナー同士を付着し、買物袋１が自転車から離脱しないように固定する。
【００８３】
この結果、袋本体２の上端開口部を遮蔽する被覆部材４上に配置された各持ち手３は、第２の被覆部材９によって覆われていることにより、買物袋１の上方に露出することはない。このため、仮にひったくり犯が後方から買物袋１をひったくろうとしても、ひったくるための持ち手３がないため、買物袋１をひったくることができないものとなる。しかも、買物袋１の上面は第２の被覆部材９によって覆われて上方に突出する部分がないことから、より確実にひったくりを防止できるものとなる。また、被覆部材４および第２の被覆部材９を付加すればよく、買物袋１のコストを各別に上昇させることもない他、見栄えを低下させることもない。さらに、自転車毎に新たなネットなどの覆いを設ける場合に比較して取付作業が不要であることと相俟って安価にひったくりを防止することができる。
【００８４】
この実施形態においても、袋本体２の底面部、正面部２１、背面部２２および一対の襠部２３の各内面に断熱材をそれぞれ一体に縫製し、買物袋１に保冷機能を付加するようにしてもよい。
【００８５】
さらに、図１７には、本考案の買物袋１のもう一つの他の実施形態が示されている。
【００８６】
この買物袋１も、袋本体２と、袋本体２に縫製された一対の持ち手３と、袋本体２の上端部に縫製されて袋本体２の開口部を開閉自在な被覆部材４と、袋本体２の上端部に縫製されて被覆部材４を被覆可能な第２の被覆部材９とから構成されている。
【００８７】
ここで、袋本体２、持ち手３および被覆部材４などは、図９に示した実施形態と基本的に同一であり、同一の部材に同一の符号を付して説明を省略する。
【００８８】
ただし、被覆部材４の一方の覆い部材４４の端部は、袋本体２における正面部２１の上面部にほぼ全長にわたって縫製され、他方の覆い部材４４の端部も背面部２２の上端部にほぼ全長にわたって縫製されている。すなわち、持ち手３は、袋本体２における正面部２１の内面側上端部または外面側上端部、背面部２２の内面側上端部または外面側上端部にそれぞれ縫製されて、被覆部材４のスライドファスナー４５を閉じるときには、被覆部材４の連結された覆い部材４４，４４の上面に露出した状態で配置される。
【００８９】
第２の被覆部材９は、前述したように、袋本体２の上端開口部を覆う面積を有するように、２枚の覆い材９１，９１の突き合わせ端縁部にそれぞれスライドファスナー９２のジッパーテープを縫製し、奥行き方向中間部がスライドファスナー９２を介して分離可能に形成したものであり、その対向する前後各端部がそれぞれ対向する袋本体２における正面部２１の上端部および背面部２２の上端部にそれぞれ縫製されている。具体的には、第２の被覆部材９の前後各端部は、袋本体２における正面部２１の上端部および背面部２２の上端部にそれぞれ縫製された持ち手３の外方側に位置して、袋本体２における正面部２１の上端部および背面部２２の上端部にそれぞれ縫製されている。
【００９０】
このように構成された買物袋１においては、第２の被覆部材９のスライドファスナー９２を分離し、各覆い材９１をそれぞれ折り返して正面部２１の外面および背面部２２の外面に沿って垂れ下げる。次いで、被覆部材４のスライドファスナー４５を分離した後、各覆い材４４をそれぞれ折り返して各持ち手３とともに正面部２１の外面および背面部２２の外面に沿って垂れ下げる。これにより、被覆部材４によって閉鎖された袋本体２の上端開口部を開放することができ、開放した上端開口部を通して袋本体２の内部に商品を収納することができる。
【００９１】
袋本体２の内部に商品を収納したならば、それぞれ垂れ下がった各覆い材４４を折り返すとともに、スライドファスナー４５を閉じることにより、袋本体２の上端開口部を閉鎖した後、持ち手３を把握して買物袋１を持ち運ぶことができる。そして、買物袋１を自転車の前かごＢに収容すれば、各持ち手３を上端開口部を閉鎖した被覆部材４の覆い材４４，４４上に配置した後、第２の被覆部材９の各覆い材９１をそれぞれ持ち上げて折り返し、被覆部材４上に重ねる（図１８参照）。この際、各覆い材９１は、持ち手３の外方側に位置して縫製されていることにより、各覆い材９１を折り返した場合、持ち手３の上方に位置することになる。次いで、覆い材９１のスライドファスナー９２を閉じれば、被覆部材４の上方を覆って、かつ、被覆部材４上に配置された持ち手３を覆って遮蔽することができる。この後、袋本体２の背面部２２に設けた一対の係止帯５を自転車のハンドルポストに巻き回して止着し、買物袋１が自転車から離脱しないように固定する。
【００９２】
この結果、袋本体２の上端開口部を遮蔽する被覆部材４上に配置された各持ち手３は、第２の被覆部材９によって覆われていることにより、買物袋１の上方に露出することはない。このため、仮にひったくり犯が後方から買物袋１をひったくろうとしても、ひったくるための持ち手３がないため、買物袋１をひったくることができないものとなる。しかも、買物袋１の上面は第２の被覆部材９によって覆われて上方に突出する部分がないことから、より確実にひったくりを防止できるものとなる。また、被覆部材４および第２の被覆部材９を付加すればよく、買物袋１のコストを各別に上昇させることもない他、見栄えを低下させることもない。さらに、自転車毎に新たなネットなどの覆いを設ける場合に比較して取付作業が不要であることと相俟って安価にひったくりを防止することができる。
【００９３】
この実施形態においても、袋本体２の底面部、正面部２１、背面部２２および一対の襠部２３の各内面に断熱材をそれぞれ一体に縫製し、買物袋１に保冷機能を付加するようにしてもよい。
【符号の説明】
【００９４】
１  買物袋
２  袋本体
２１  正面部
２２  背面部
２３  襠部
３  持ち手
４  被覆部材
４ａ  開口
４１，４４  覆い材
４２  紐
４３，４５  スライドファスナー
５  係止帯
７  スナップ
８  スライドファスナー
９  第２の被覆部材
９１  覆い材
９２  スライドファスナー
１０  フラップ
【図１】
0003184829.tif 000003
【図２】
0003184829.tif 000004
【図３】
0003184829.tif 000005
【図４】
0003184829.tif 000006
【図５】
0003184829.tif 000007
【図６】
0003184829.tif 000008
【図７】
0003184829.tif 000009
【図８】
0003184829.tif 000010
【図９】
0003184829.tif 000011
【図１０】
0003184829.tif 000012
【図１１】
0003184829.tif 000013
【図１２】
0003184829.tif 000014
【図１３】
0003184829.tif 000015
【図１４】
0003184829.tif 000016
【図１５】
0003184829.tif 000017
【図１６】
0003184829.tif 000018
【図１７】
0003184829.tif 000019
【図１８】
0003184829.tif 000020